(57)【要約】【課題】  自重を利用して証票等の紙葉を所定の傾斜収納ポケットに斜行落下させるときに証票の詰まりを防止し、確実な仕分けをすることができる紙葉仕分け装置を提供することにある。【解決手段】  この発明は、傾斜収納ポケットと投入口との間に設けられ垂直投入線を基準として第１の傾斜板とは反対側に傾斜して、投入口から投入された紙葉を第１の傾斜案内板へガイドする第２の傾斜案内板とを有し、第２の傾斜案内板の先端側と第１の傾斜案内板との間に絞り開口が形成され、この絞り開口が第１の傾斜板の先端側に形成された排出口と重ならない位置に設けられ、絞り開口の位置から排出口までの第１の傾斜案内板の所定の角度傾斜の傾斜面の長さが第１の傾斜板に対して反対側から投入された紙葉を反対側へ回転させて第１の傾斜板に沿って落下させる長さになっているものである。【選択図】      図１
2005343632.tif 000002
【特許請求の範囲】
【請求項１】
自重を利用して紙葉を投入口から所定の傾斜収納ポケットの上部に斜行落下させて収納して前記所定の傾斜収納ポケットに前記紙葉を仕分けする紙葉仕分け装置において、
前記傾斜収納ポケットと前記投入口との間に設けられ垂直投入線を基準として前記所定の傾斜収納ポケットの傾斜に対応するような所定の角度傾斜し、前記投入口から投入された前記紙葉を前記傾斜収納ポケットへ斜行落下させるガイドをする第１の傾斜案内板と、
前記傾斜収納ポケットと前記投入口との間に設けられ前記垂直投入線を基準として前記第１の傾斜板とは反対側に傾斜して、前記投入口から投入された前記紙葉を前記第１の傾斜案内板へガイドする第２の傾斜案内板とを有し、
前記第２の傾斜案内板の先端側と前記第１の傾斜案内板との間に絞り開口が形成され、この絞り開口が前記第１の傾斜板の先端側に形成された排出口と重ならない位置に設けられ、前記絞り開口の位置から前記排出口までの前記第１の傾斜案内板の前記所定の角度傾斜の傾斜面の長さが前記第１の傾斜板に対して反対側から投入された前記紙葉を反対側へ回転させて前記第１の傾斜板に沿って落下させる長さになっている紙葉仕分け装置。
【請求項２】
前記第１の傾斜案内板は、紙葉落下方向の途中で内側に曲折していて、途中で曲折した部分が下側の部分が前記所定の角度傾斜の傾斜面となっていて、その角度は前記垂直投入線に対して２０°から４０°の範囲の角度であって、前記第２の傾斜案内板は、傾斜面の傾斜角が前記垂直投入線に対して前記とは反対側に２０°以下の範囲の角度であって、前記絞り開口が前記所定の角度傾斜の傾斜面の真ん中より上に設けられている請求項１記載の紙葉仕分け装置。
【請求項３】
前記第１および第２の傾斜案内板は、前記傾斜収納ポケットの上部を移動するキャリーの内壁面として形成され、このキャリーの下側に多数の前記傾斜収納ポケットが一列に配列された箱形のマガジンを有する請求項２記載の紙葉仕分け装置。
【発明の詳細な説明】
【技術分野】
【０００１】
この発明は、仕分け先の異なる紙葉を仕分け先別に仕分けする紙葉仕分け装置に関し、詳しくは、金融機関などにおいて料金を支払った後に回収されるガス、電気、電話などの支払い伝票の証票（半券）を仕分け先別（料金支払い先別）に仕分けする紙葉仕分け装置において、自重を利用して証票等の紙葉を所定の傾斜収納ポケットに斜行落下させるときの証票の詰まりを防止し、確実な仕分けをすることができるような紙葉仕分け装置に関する。
【背景技術】
【０００２】
紙葉仕分け装置は、例えば、銀行などの各支店で回収したガス、電気、電話などの仕分け先の異なる多量の料金支払い伝票の証票（半券）を仕分け先別（料金支払い先別）に分類処理する装置である。
従来、この種の装置として、特開平９−１５０１１９号公報に示された分類処理装置がある。この装置は、スライド投影装置に似て円筒状で回転軸の回りに円形に配置された板で切りられた収納ポケットが多数、円形に設けられ、これらを回転させて証票等の紙葉を所定の収納ポケットにオペレータが上部の投入口から手で落下させて仕分をする紙葉仕分け装置である。なお、仕分けされる収納ポケットの位置は、証票等のデータの入力に合わせて、制御装置により投入口の位置に収納ポケットが回転位置決めされる。
この回転型の紙葉仕分け装置のデットスペースを改良するものとして、出願人は、箱型の紙葉仕分け装置を開発した。これは、証票等の紙葉を所定の傾斜板で仕切られる収納ポケットに自重て斜行落下させる機構を設け、投入口側を移動させるものである。箱形マガジンに多数のセパレータ（仕切り板）を介して傾斜収納ポケットが一列に形成、配置されている（特許文献１）。制御装置で投入口が移動制御されて、仕分けされる傾斜収納ポケットのうち所望の傾斜収納ポケットの位置に投入口が位置決めされ、オペレータが上部の投入口から紙葉を手で落下させて傾斜収納ポケットに証票を収納する。
【特許文献１】特開２００２−１０４７２７号公報
【０００３】
後者の箱型の紙葉仕分け装置について説明すると、図２に示すように、その紙葉仕分け装置１０は、傾斜収納ポケット９（以下収納ポケット９）の傾斜仕切り板（スペーサ）１の傾斜に対応する傾斜案内板（ホッパガイド）２がこれの上部に配置され、手前の傾斜仕切り板１がフォーク（めくり爪）３で、めくられて止められる。このことで、傾斜案内板２が投入された証票（紙葉）を収納ポケット９の既投入の証票（紙葉）の前方に形成される収納スペース９ａに斜行落下するように案内する。
４は、投入される証票の最大幅に適合する横幅を持つ矩形の投入口であり、５は、この投入口４が設けられた、この投入口４を移動させるためのキャリー、６がガイドローラ、７がガイドシャフトであって、このガイドシャフト７上をガイドローラ６を介してキャリー５が水平移動する構成を採る。そして、８がマガジンであり、９がマガジンに一列に配列され、形成された傾斜収納ポケットである。
【０００４】
ここで、キャリー５は、矢印５ａで示すように、図面で左右方向、傾斜収納ポケット９に対しては前後移動して、斜行落下の関係において所望の収納ポケット９の紙葉落下位置の上部に位置決めされる。
３ａは、フォーク３を上下移動させる進退機構であり、７ａは、これが水平移動するときのガイドをするガイドシャフトである。
キャリー５が仕分け対象となる所望の収納ポケット９に投入口４を水平移動して、フォーク３を降ろして、前側のスペーサ１をめくり、所望の収納ポケット９に収納スペース９ａを形成してキャリー５が所望の収納ポケット９に対応して停止し、仕分けされる証票が投入口４から投入される。これにより、投入された証票は、傾斜案内板２の傾斜に沿ってガイドされて斜行落下し、収納スペース９ａに収納される。
その他の詳細な機構については、特許文献１に記載されており、この発明に直接関係していないので、ここでは割愛する。
【発明の開示】
【発明が解決しようとする課題】
【０００５】
図２に示すように、キャリー５の投入口４は、矩形のキャリー５の上部に設けられ、キャリー５の紙葉落下方向下側の先端には、排出口４ａが形成されている。そして、ホッパガイド２は、キャリー５の内壁面としてほぼ半分程度の途中で内側に少し折れた上側傾斜面２ａと下側傾斜面２ｂとを持っている。下側傾斜面２ｂの傾斜角は、収納ポケット９の傾斜に対応していて、上側傾斜面２ａは、これより急な傾斜となっており、下側傾斜面２ｂに投入された証票を沿わせる役割をしている。
当然のことながら、投入口４は、証票が投入し易いように、幅の大きな口が開けられ、排出口４ａは、傾斜収納ポケット９の受け口に対応して幅が狭くなるように絞り込まれている。これにより、証票１１は、投入された時点で、落下して先がホッパガイド２の下側傾斜面２ｂに当たってガイドされ、排出口４ａから収納ポケット９の傾斜に対応するような所望の角度をもって排出されて所望の傾斜収納ポケット９の収納スペース９ａに収納される。
図２の点線にみるように、この装置では、投入口４から排出口４ａに至る直線的に貫通する通路がある。そこで、運悪く、証票１１が垂直に落下したときには、ホッパガイド２に当たることなく、直接、既収納の証票の上部に投入された証票１１の先端が落下する。これにより紙同士が接触して投入された紙葉の落下が停止し、紙詰まりが起こる。
このような問題を解決するために、投入口４と排出口４ａとが直線上にならばないように排出口４ａを横にずらせると、ホッパガイド２の下側の傾斜面２ｂの傾斜が甘くなる上に、収納ポケット９に対する落下点が移動して収納ポケット９の落下位置および排出口４ａにおける証票の排出角度の整合性が悪くなり、紙詰まりや収納ミスが発生する問題がある。
一方、傾斜面２ｂの傾斜と落下点とを確保して投入口４の大きさ（幅）を小さくすると証票（紙葉）が投入し難くなる。
この発明の目的は、このような従来技術の問題点を解決するものであって、自重を利用して証票等の紙葉を所定の傾斜収納ポケットに斜行落下させるときの証票の詰まりを防止し、確実な仕分けをすることができる紙葉仕分け装置を提供することにある。
【課題を解決するための手段】
【０００６】
このような目的を達成するためのこの発明の紙葉仕分け装置の特徴は、自重を利用して紙葉を投入口から所定の傾斜収納ポケットの上部に斜行落下させて収納して所定の傾斜収納ポケットに紙葉を仕分けする紙葉仕分け装置において、
傾斜収納ポケットと投入口との間に設けられ垂直投入線を基準として所定の傾斜収納ポケットの傾斜に対応するような所定の角度傾斜して、投入口から投入された紙葉を傾斜収納ポケットへ斜行落下させるガイドをする第１の傾斜案内板と、傾斜収納ポケットと投入口との間に設けられ垂直投入線を基準として第１の傾斜板とは反対側に傾斜して、投入口から投入された紙葉を第１の傾斜案内板へガイドする第２の傾斜案内板とを有し、
第２の傾斜案内板の先端側と第１の傾斜案内板との間に絞り開口が形成され、この絞り開口が第１の傾斜板の先端側に形成された排出口と重ならない位置に設けられ、絞り開口の位置から排出口までの第１の傾斜案内板の所定の角度傾斜の傾斜面の長さが第１の傾斜板に対して反対側から投入された紙葉を反対側へ回転させて第１の傾斜板に沿って落下させる長さになっているものである。
【発明の効果】
【０００７】
発明者等が投入口４を狭くせずに、図２における投入口４と排出口４ａとが直線上にならばないように排出口４ａを横にずら、紙詰まりを検討したところ、証票の投入が垂直を越えて反対側から行われ、ホッパガイド２の傾斜面２ｂに証票が当たる場合に問題があることが判った。ホッパガイド２の下側の傾斜面２ｂに当たる位置により、証票が詰まる場合と流れる場合とがある。
まず、証票の投入ガイド角を垂直を越えて反対側に採ったときには、この角が大きくなるとホッパガイド２の傾斜面２ｂの上部に証票が衝突したままとなり、投入状態で証票はキャリー内に止まって紙詰まりする確率が高くなる。
反対側からの投入ガイド角が小さい場合にホッパガイド２の下側傾斜面２ｂの中間より上部に当たった証票は、垂直を越えて反対側へ回転して下側傾斜面２ｂに沿って流れる。
一方、反対側に採った角度が小さくても詰まる場合がある。その多くは、ホッパガイド２の傾斜面２ｂの下側に当たった場合である。この場合には、ホッパガイド２の傾斜面２ｂのガイド距離が短いので、証票が垂直を越えて反対側へ回転して傾斜面２ｂに沿って流れる前に傾斜収納ポケット９に先端が下に落ち込んで紙詰まりを発生する。
【０００８】
これにより、反対側からの投入ガイド角を垂直投入線に対して２０°以下としてホッパガイド２の半分よりも下側にある下側傾斜面２ｂの中間部より上に当たるようにした場合に証票の紙詰まりがなくなることが判った。この場合、ホッパガイド２の下側傾斜面２ｂの角度は、垂直投入線に対して２０°から４０°程度までである。４０°を越えると、ホッパガイド２の下側傾斜面２ｂに対して６０°を越える鈍角で投入された証票が突き当たる確率が発生するので、ホッパガイド２の下側傾斜面２ｂに当たって止まり、証票の大きさと重力の差で落下しなくなるものと、そうでないものが発生する。もっとも、投入ガイド角を垂直投入線に対して１５°以下に設定すれば、下側傾斜面２ｂの傾斜角は、４０°程度であってもほとんど詰まることはない。
証票がキャリー内に止まるの問題は、証票の自重で流れるときの下側傾斜面２ｂの突き当たり角と、途中にある絞り開口の位置と、証票の重量との関係で決まり、比較的重く、小さな証票は流れるが、軽く、大きい証票は引っかかる。なお、ホッパガイド２の少なくとも下側傾斜面２ｂは、ＳＵＳ等の表面に凹凸が少ない金属あるいは摩擦係数の少ない樹脂製とする。
【０００９】
そこで、この発明にあっては、前記の構成のように途中に絞り開口と排出口とが重ならないように位置ずれさせて、絞り開口を垂直投入線を基準として第１の傾斜板に対して反対側から投入された紙葉を反対側へ回転させて第１の傾斜板に沿って落下させる位置にする。これにより、反対側から証票を投入したときには、反対側へ回転させて第１の傾斜案内板の傾斜面に沿うようにガイドすることができる。
一方、垂直投入線に沿ってあるいは第１の傾斜案内板の傾斜面に沿うように証票を投入したときには、投入された証票が詰まらずに収納ポケットに案内されるのは従来と同様である。
これにより、紙葉仕分け装置において、証票等の紙葉を所定の傾斜収納ポケットに斜行落下させるときに証票の紙詰まりを防止し、確実な仕分けをすることができる。
【発明を実施するための最良の形態】
【００１０】
図１は、この発明の紙葉仕分け装置を適用した一実施例の主要部の断面概要図である。なお、図２に示すものと同一の構成要素は同一の符号を付して、その説明を割愛する。
図１において、１０ａは、紙葉仕分け装置であって、図２の紙葉仕分け装置１０との相違は、ホッパガイド２に対してこれに対向する面にホッパガイド１２が設けられている点である。
ホッパガイド１２の傾斜面１２ａは、反対側から投入ガイド角θbとして垂直投入線Ｖに対して２０°以下とし、これの延長線がホッパガイド２の下側傾斜面２ｂの途中において、接する点Ａにおける角度が６０°以下の鋭角となっていて、これは、証票落下方向の先端側が折れてキャリー５の壁面５ａに直角に突き当てられた固定部１２ｂが設けられている。この固定部１２ｂの高さ位置に対応して、ホッパガイド１２の証票落下方向の先端側とホッパガイド２との間に絞り開口４ｂが形成されている。
なお、下側傾斜面２ｂと垂直投入線Ｖとの角度、すなわち、投入ガイド角はθaである。
【００１１】
ホッパガイド２の証票落下方向の先端側とキャリー５の壁面５ａとの間に形成されている排出口４ａは、図２と同様であり、壁面５ａとホッパガイド２の先端部との間で形成されている。
絞り開口４ｂは、ここでは排出口４ａとは位置ずれいて、開口部分が重ならないようになっている。
言い換えれば、排出口４ａに当たる下側傾斜面２ｂの先端部の点Ｂがホッパガイド１２の傾斜面１２ａの下側先端部Ｃと水平方向の位置において一致しているか、これよりより図面左側にずれている。これにより、証票１１が垂直投入線Ｖを越えて反対側へ回転して傾斜面２ｂに沿って流れることができる。したがって、キャリー５の壁面５ａからの固定部１２ｂの突出量Ｌ1と排出口４ａの開口幅Ｌ2について、Ｌ1＞＝Ｌ2の関係にある。これにより、垂直投入線Ｖを基準としてホッパガイド２に対して反対側から投入された証票１１を反対側へ回転させてホッパガイド２の傾斜面２ｂに沿って落下させることができる。
【００１２】
この実施例では、θb＝１５°とし、ホッパガイド２の垂直投入線Ｖに対する角度θaを、θa＝３０°としている。
下側傾斜面２ｂのＡ点から下の長さは、投入された証票１１が垂直投入線Ｖを越えて反対側へ回転して傾斜面２ｂに沿って流れるのに必要な長さである。それは、例えば、点Ａから２５ｍｍ〜４０ｍｍ程度である。
なお、この場合の傾斜面２ｂの長さは、４０〜５０ｍｍ前後であり、傾斜面２ｂの長さは、５０〜６０ｍｍ前後である。これら長さは、投入される証票の長さに関係している。
また、絞り開口４ｂの幅は、１０ｍｍ〜２０ｍｍ程度であり、投入口４の幅は３０ｍｍ前後である。
反対側から投入ガイド角θbで投入された証票１１は、ホッパガイド１２の傾斜面１２ａでガイドされて、投入角が投入ガイド角θb程度に修正され、点線で示す軌跡（経路）で流れて、所望の傾斜収納ポケット９に収納される。
もちろん、垂直に投入されてもＬ1＞＝Ｌ2の関係があるので、証票１１は、反対側へ回転して同様な経路で流れる。
【産業上の利用可能性】
【００１３】
以上説明してきたが、実施例では、証票を中心に説明しているが、他の紙葉を分類する場合において、自重で傾斜落下させて傾斜する収納ポケットにガイドするような構成の紙葉投入型の仕分け装置にこの発明は適用できる。たとえ、分類する紙葉の大きさや重さ等が相違する場合であっても、実施例に示す前記の絞り開口の幅や投入口の幅を変更すればよい。そのようなことは設計的事項な範囲であり、選択できるものである。
さらに、実施例では、箱型の仕分け装置を例としているが、この発明は、自重を利用して紙葉を投入口から所定の傾斜収納ポケットに斜行落下させて収納することにより紙葉の仕分けをする紙葉仕分け装置であれば、その形態は問うものではない。
【図面の簡単な説明】
【００１４】
【図１】図１は、この発明の紙葉仕分け装置を適用した一実施例の主要部の断面概要図である。
【図２】図２は、従来の紙葉仕分け装置の主要部の断面概要図である。
【符号の説明】
【００１５】
１…傾斜仕切り板、２，１２…傾斜案内板（ホッパガイド）、
３…フォーク（めくり爪）、４…投入口、
４ａ…排出口、４ｂ…絞り開口、５…キャリー、
６…ガイドローラ、７…ガイドシャフト、
８…マガジン、９…収納ポケット、９ａ…収納スペース、
１０，１０ａ…紙葉仕分け装置、
１１…証票。
【図１】
2005343632.tif 000003
【図２】
2005343632.tif 000004